(57)【要約】  小型基地局（１００）は、端末装置が送信する上り回線品質測定用の参照信号の送信先である周辺基地局のセル内に設置可能であり、前記参照信号の送信タイミングを前記端末装置に指示する第１のパラメータを取得し、前記第１のパラメータを自局のパラメータとして設定するパラメータ設定部（１１１）と、前記パラメータ設定部（１１１）によって設定されたパラメータにより特定されるタイミングで、受信信号における干渉電力を測定する測定部（１０５）と、前記測定部（１０５）によって測定された干渉電力に基づいて、前記周辺基地局と接続する端末装置を検出する検出部（１１３）と、前記検出部（１１３）によって検出された端末装置に対する干渉を制限する干渉制限部（１１４）と、を具備する。
2013051285.tif 000002
【特許請求の範囲】
【請求項１】
端末装置が送信する上り回線品質測定用の参照信号の送信先である周辺基地局のセル内に設置可能な小型基地局であって、
前記参照信号の送信タイミングを前記端末装置に指示する第１のパラメータを取得し、前記第１のパラメータを自局のパラメータとして設定するパラメータ設定部と、
前記パラメータ設定部によって設定されたパラメータにより特定されるタイミングで、受信信号における干渉電力を測定する測定部と、
前記測定部によって測定された干渉電力に基づいて、前記周辺基地局と接続する端末装置を検出する検出部と、
前記検出部によって検出された端末装置に対する干渉を制限する干渉制限部と、
を具備する小型基地局。
【請求項２】
前記パラメータ設定部は、
前記参照信号の送信帯域を指示する第２のパラメータを取得し、前記第１のパラメータに加えて、前記第２のパラメータを自局のパラメータとして設定し、
前記測定部は、
前記特定されるタイミングで、かつ、前記パラメータ設定部によって設定されたパラメータにより特定される送信帯域毎に、受信信号における干渉電力を測定する、
請求項１記載の小型基地局。
【請求項３】
前記パラメータ設定部によって設定されたパラメータにより特定される送信帯域毎、かつ、所定のシンボル時間毎に、前記干渉電力の測定結果を保持するバッファを生成するバッファ生成部、をさらに具備し、
前記測定部は、
前記干渉電力の測定結果を前記バッファに順次保持させ、
前記検出部は、
前記バッファに保持された前記干渉電力に基づいて、前記周辺基地局と接続する前記端末装置を検出する、
請求項２記載の小型基地局。
【請求項４】
前記検出部は、
前記バッファに保持されている最新の前記シンボル時間における全帯域の前記干渉電力の平均値が閾値を超えている場合に、前記周辺基地局と接続する前記端末装置を検出する、
請求項３記載の小型基地局。
【請求項５】
前記検出部は、
前記バッファに保持されている最新の前記シンボル時間における、全帯域の前記干渉電力の平均値と前記帯域毎の前記干渉電力の最大値との比を求め、前記比が閾値を超えている場合に、前記周辺基地局と接続する前記端末装置を検出する、
請求項３記載の小型基地局。
【請求項６】
前記検出部は、
前記バッファに保持される全ての前記干渉電力の第１の平均値を求めるとともに、前記バッファに保持されている最新の前記シンボル時間における全帯域の前記干渉電力の第２の平均値を求め、前記第１の平均値と第２の平均値との比が閾値を超えている場合に、前記周辺基地局と接続する前記端末装置を検出する、
請求項３記載の小型基地局。
【請求項７】
端末装置が送信する上り回線品質測定用の参照信号の送信先である周辺基地局のセル内に設置可能な小型基地局における被干渉端末装置検出方法であって、
前記参照信号の送信タイミングを前記端末装置に指示する第１のパラメータを取得し、前記第１のパラメータを自局のパラメータとして設定するステップと、
前記設定したパラメータにより特定されるタイミングで、受信信号における干渉電力を測定するステップと、
前記測定した干渉電力に基づいて、前記周辺基地局と接続する前記端末装置を検出するステップと、
を具備する被干渉端末装置検出方法。
【発明の詳細な説明】
【技術分野】
【０００１】
本発明は、端末装置が送信する上り回線品質測定用の参照信号の送信先である周辺基地局のセル内に設置可能な小型基地局及び被干渉端末装置検出方法に関する。
【背景技術】
【０００２】
現在、次世代の移動体通信規格であるＬＴＥ（Long Term Evolution）の導入が世界中で始まっている。ＬＴＥでは、下り回線にＯＦＤＭ（Orthogonal Frequency Division Multiplexing）またはＭＩＭＯ（Multiple-Input Multiple-Output）技術等を採用し、上り回線にＳＣ−ＦＤＭＡ（Single Carrier-Frequency Division Multiple Access）等を採用する。これにより、飛躍的なスループットの向上が達成されるとともに、各物理チャネルを時間・周波数領域の無線リソースに柔軟に割り当てることが可能となる。【０００３】
さらに、近年、携帯電話の不感地帯の補間またはデータトラフィック分散の目的のために、Ｐｉｃｏ ｅＮＢまたはＨｏｍｅ ｅＮＢ（以下「ＨｅＮＢ」と表記する）と呼ばれる小型基地局の開発が行われている。これらの小型基地局は、各家庭内またはオフィス内のような限定された狭いエリアのみをカバーする目的で敷設される。従って、小型基地局では、従来から敷設されている大型基地局（Ｍａｃｒｏ ｅＮＢ、以下「ＭｅＮＢ」と表記する）と比較して、トラフィック集中による混雑が起こり難く、高いスループットが期待できる。【０００４】
しかしながら、ＨｅＮＢには、周辺基地局との整合（backhaul coordination）機能が無いため、周辺基地局と干渉するという課題がある。特に、ＨｅＮＢは、周辺基地局に接続する移動局（User Equipment、以下「ＵＥ」と表記する）へ干渉を与えることがあってはならない。【０００５】
この課題を解決する方法として、例えば、非特許文献１に示されるＡＢＳ（Almost Blank Subframe）と呼ばれる方法が検討されている。ＡＢＳとは、ＭｅＮＢとＨｅＮＢのいずれか一方または双方が、定期的に下り回線（Downlink）の送信を止めるものである。即ち、ＡＢＳは、自セルの無線リソースの一部を無送信にすることにより、他セルへの干渉を軽減する技術である。これにより、与干渉基地局（aggressor）が送信を止めた時間帯においては、被干渉ＵＥ（victim UE）は干渉を受けずに済むため、被干渉ＵＥの受信性能が改善され、被干渉ＵＥのスループットが改善される。ここで、被干渉ＵＥとは、自身が接続する基地局とは異なる基地局からの干渉を受けているＵＥを意味する。【０００６】
ＡＢＳについて、図１〜図３を用いてさらに詳細に説明する。図１は、被干渉ＵＥが存在しない状態のシステム構成を示す図である。図２は、被干渉ＵＥが存在する状態のシステム構成を示す図である。図３（特に図３（ａ））は、ＨｅＮＢのＡＢＳパターンを示す図である。図１及び図２において、ＨｅＮＢは、周辺基地局であるＭｅＮＢのセル＃１内に設置されているとする。図１及び図２において、ＭｅＮＢと接続するＵＥを「ＭＵＥ」と表記し、ＨｅＮＢと接続するＵＥを「ＨＵＥ」と表記する。なお、図１及び図２において、実線の送信波はＭｅＮＢからの送信波を示し、破線の送信波はＨｅＮＢからの送信波を示す。また、図３において、０、１、２、・・・で示す送信単位は、サブフレームを示し、網掛により示すサブフレームは、送信が停止されるサブフレームを示す。【０００７】
例えば、図２に示すように、ＨｅＮＢの近隣にＭｅＮＢと接続するＭＵＥが存在する場合、このＭＵＥが被干渉ＵＥとしてＨｅＮＢから干渉を受ける。従って、図３（ａ）に示すＡＢＳパターンを用いて、ＨｅＮＢが定期的に下り回線の送信を止めることによって、ＨｅＮＢが被干渉ＵＥに与える干渉を軽減することができる。これにより、被干渉ＵＥの受信性能の改善が期待される。図３（ａ）のＡＢＳパターンの場合には、ＨｅＮＢは、サブフレーム１、５、９、３の送信を止める。【０００８】
一方、図１に示すように、ＨｅＮＢの近隣にＭｅＮＢと接続するＭＵＥが存在しない場合、ＨｅＮＢが下り回線の送信を止める必要は無い。従って、自セルのリソースを無駄なく使用するためには、図３（ｂ）に示すように、全てのサブフレームで下り回線の送信を行うことが望ましい。このような被干渉ＵＥが存在しない状況でＡＢＳを行うと、自セルのリソースを無駄にし、結果的にシステム全体のスループット低下に繋がる。そのため、ＨｅＮＢに被干渉ＵＥを検出する機能を実装し、適切なタイミングでＡＢＳを適用することが必要となる。非特許文献２には、被干渉ＵＥが送信する上り回線参照信号（Uplink Reference Signal（RS））を検出することにより、被干渉ＵＥの有無を検出し、適切なタイミングでＡＢＳを適用することが示されている。【０００９】
以下、非特許文献２に示される被干渉ＵＥの検出方法について、図４〜図６を用いて説明する。図４は、被干渉ＵＥが検出された場合の受信信号の時間領域波形の自己相関関数を示す図である。図５は、被干渉ＵＥが存在しない場合のＨｅＮＢにおける受信信号電力の時間推移を示す図である。図６は、被干渉ＵＥが存在する場合のＨｅＮＢにおける受信信号電力の時間推移を示す図である。なお、図５及び図６において、破線は受信信号電力の平均レベルを示し、一点破線は受信信号電力のピークレベルを示す。【００１０】
ＨｅＮＢは、受信信号に対し以下の判定処理１及び判定処理２の判定処理を行い、判定処理１と判定処理２の少なくとも一方における判定条件が満たされた場合に、ＨｅＮＢは被干渉ＵＥありと判断する。【００１１】
まず、判定処理１では、受信信号の時間領域波形の自己相関関数を求める。このとき、被干渉ＵＥが存在しない場合（つまり、被干渉ＵＥが送信する参照信号をＨｅＮＢが受信していない場合）、白色雑音の自己相関関数を求めることになるため、１つのピークのみが観測される。これに対し、被干渉ＵＥが参照信号を送信している場合には、参照信号を構成するZadoff-Chu系列の特徴により、図４に示すように、求めた自己相関関数において複数のピークが観測される。即ち、自己相関関数のピークのうち、２番目に高いピークと閾値とを比較し、２番目に高いピークが閾値を超えた場合、被干渉ＵＥが存在する（つまり、被干渉ＵＥが送信する参照信号をＨｅＮＢが受信している）ものと判定できる。【００１２】
また、判定処理２では、受信信号電力の時間推移に対し、ＰＡＲ（Peak to Average Ratio）を測定する。被干渉ＵＥが存在しない場合、ＨｅＮＢでは、被干渉ＵＥが送信する参照信号を受信しないので、図５に示すように、白色雑音のＰＡＲを測定することになる。この結果、測定したＰＡＲは比較的高い値になる。これに対し、被干渉ＵＥが存在する場合、ＨｅＮＢでは、被干渉ＵＥが送信した参照信号を受信するので、参照信号を構成するZadoff-Chu系列の定振幅であるとの特徴により、図６に示すように、図５よりも平均レベルが均一に底上げされた電力分布が観測される。そのため、ＨｅＮＢでは、ＰＡＲとしては低い値になる。即ち、ＰＡＲと閾値とを比較し、ＰＡＲが閾値以上になることにより、被干渉ＵＥが存在しないものと判定でき、ＰＡＲが閾値を下回ることにより、被干渉ＵＥが存在するものと判定できる。
【先行技術文献】
【非特許文献】
【００１３】
【非特許文献１】R1-105779 " Way Forward on time-domain extension of Rel 8/9 backhaul-based ICIC" (RAN1)
【非特許文献２】R1-100193 “Victim UE Aware Downlink Interference Management”, picoChip, Kyocera
【発明の概要】
【発明が解決しようとする課題】
【００１４】
しかしながら、非特許文献２においては、被干渉ＵＥは常に参照信号を送信しているとは限らず、参照信号を送信していない場合には、被干渉ＵＥが存在するにも関わらずＰＡＲは高い値になる。その結果、実際にはＨｅＮＢの近隣に被干渉ＵＥが存在している場合に、その被干渉ＵＥを見落としてしまう可能性があるという問題がある。【００１５】
また、非特許文献２においては、被干渉ＵＥを検出するための専用の検出回路が必要になり、ＨｅＮＢの回路規模が増大するという問題がある。【００１６】
また、非特許文献２においては、ＨｅＮＢは、被干渉ＵＥの参照信号の送信タイミングを把握できないため、常に被干渉ＵＥを検出する検出回路を動作させる必要があり、ＨｅＮＢの消費電力が増加するという問題がある。【００１７】
本発明の目的は、小型基地局の回路規模の増大を招くことなく、小型基地局が被干渉ＵＥの存在を確実に検出することができ、被干渉ＵＥの受信性能を確実に改善することができるとともに、被干渉ＵＥを検出するための処理の頻度を従来に比べて低減することができ、消費電力を抑制することができる小型基地局及び被干渉端末装置検出方法を提供することである。
【課題を解決するための手段】
【００１８】
本発明の小型基地局は、端末装置が送信する上り回線品質測定用の参照信号の送信先である周辺基地局のセル内に設置可能な小型基地局であって、前記参照信号の送信タイミングを前記端末装置に指示する第１のパラメータを取得し、前記第１のパラメータを自局のパラメータとして設定するパラメータ設定部と、前記パラメータ設定部によって設定されたパラメータにより特定されるタイミングで、受信信号における干渉電力を測定する測定部と、前記測定部によって測定された干渉電力に基づいて、前記周辺基地局と接続する端末装置を検出する検出部と、前記検出部によって検出された端末装置に対する干渉を制限する干渉制限部と、を具備する構成を採る。【００１９】
本発明の被干渉端末装置検出方法は、端末装置が送信する上り回線品質測定用の参照信号の送信先である周辺基地局のセル内に設置可能な小型基地局における被干渉端末装置検出方法であって、前記参照信号の送信タイミングを前記端末装置に指示する第１のパラメータを取得し、前記第１のパラメータを自局のパラメータとして設定するステップと、前記設定したパラメータにより特定されるタイミングで、受信信号における干渉電力を測定するステップと、前記測定した干渉電力に基づいて、前記周辺基地局と接続する前記端末装置を検出するステップと、を具備するようにした。
【発明の効果】
【００２０】
本発明によれば、小型基地局の回路規模の増大を招くことなく、小型基地局が被干渉ＵＥの存在を確実に検出することができ、被干渉ＵＥの受信性能を確実に改善することができるとともに、被干渉ＵＥを検出するための処理の頻度を従来に比べて低減することができ、小型基地局の消費電力を抑制することができる。
【図面の簡単な説明】
【００２１】
【図１】被干渉ＵＥが存在しない状態のシステム構成を示す図
【図２】被干渉ＵＥが存在する状態のシステム構成を示す図
【図３】ＨｅＮＢのＡＢＳパターンを示す図
【図４】被干渉ＵＥが検出された場合の受信信号の時間領域波形の自己相関関数を示す図
【図５】被干渉ＵＥが存在しない場合のＨｅＮＢにおける受信信号電力の時間推移を示す図
【図６】被干渉ＵＥが存在する場合のＨｅＮＢにおける受信信号電力の時間推移を示す図
【図７】本発明の実施の形態に係る小型基地局の構成を示すブロック図
【図８】ＬＴＥの上り回線のフレームフォーマットを示す図
【図９】本発明の実施の形態におけるSRS Subframe Configurationの一例を示す図
【図１０】本発明の実施の形態におけるSRS Bandwidth Configurationの一例を示す図
【図１１】本発明の実施の形態における受信品質バッファを示す図
【図１２】本発明の実施の形態における被干渉ＵＥを検出するための第１の処理を示す図
【図１３】本発明の実施の形態における被干渉ＵＥを検出するための第２の処理を示す図
【図１４】本発明の実施の形態における被干渉ＵＥを検出するための第３の処理を示す図
【発明を実施するための形態】
【００２２】
以下、本発明の実施の形態について、図面を参照して詳細に説明する。
【００２３】
（実施の形態）
＜小型基地局の構成＞
図７は、本発明の実施の形態に係る小型基地局１００の構成を示すブロック図である。
【００２４】
アンテナ１０１は、受信した高周波信号をサーキュレータ１０２に出力する。また、アンテナ１０１は、サーキュレータ１０２から入力した高周波信号を送信する。
【００２５】
サーキュレータ１０２は、アンテナ１０１から入力した高周波信号の上り無線受信部１０３及び下り無線受信部１０６への出力と、下り無線送信部１１０から入力した高周波信号のアンテナ１０１への出力とを切り替える。ここで、上り無線受信部１０３は、ＵＥからの信号を受信するという意味で「上り」という表現を用い、下り無線受信部１０６は、ＭｅＮＢからの信号を受信するという意味で「下り」という表現を用いている。また、下り無線送信部１１０は、ＵＥへの信号を送信するという意味で「下り」という表現を用いている。
【００２６】
上り無線受信部１０３は、サーキュレータ１０２から入力した高周波信号から、ＵＥが送信した上り信号成分のみを抽出する。上り無線受信部１０３は、抽出した上り信号成分を上りベースバンド信号に変換して上り復調部１０４に出力する。
【００２７】
上り復調部１０４は、上り無線受信部１０３から入力した上りベースバンド信号に対しＳＣ−ＦＤＭＡ復調を行い、ＵＥが送信した上り回線品質測定用の参照信号（Sounding Reference Signal、以下「ＳＲＳ」と表記する）及びブランクリソース（Blank Resource）における受信信号を抽出する。上り復調部１０４は、抽出したＳＲＳ及びブランクリソースにおける受信信号を受信品質測定部１０５に出力する。ここで、ＳＲＳとは、ＵＥがあらかじめ定められた周期で定期的に送信する信号であり、上り回線の品質測定用に従来から使用されている信号である。ブランクリソースとは、ＳＲＳ送信用のリソースである。なお、ＳＲＳ及びブランクリソースについては後述する。
【００２８】
受信品質測定部１０５は、上り復調部１０４から入力したＳＲＳ及びブランクリソースにおける受信信号から、ブランクリソースにおける干渉電力を測定し、測定結果を受信品質バッファ生成部１１２に出力する。
【００２９】
下り無線受信部１０６は、サーキュレータ１０２から入力した高周波信号より、ＭｅＮＢが送信した下り信号成分のみを抽出する。下り無線受信部１０６は、抽出した下り信号成分を下り受信ベースバンド信号に変換して下り復調部１０７に出力する。
【００３０】
下り復調部１０７は、下り無線受信部１０６から入力した下り受信ベースバンド信号に対し、ＯＦＤＭ復調、ＱＰＳＫ（Quadrature Phase Shift Keying）復調、及び誤り訂正復号等の処理を行い、ＭｅＮＢが送信した下りディジタル信号を抽出する。下り復調部１０７は、抽出した下りディジタル信号を報知情報取得部１０８に出力する。
【００３１】
報知情報取得部１０８は、下り復調部１０７から入力した下りディジタル信号より、ＳＲＳに関連する下り報知情報を抽出する。報知情報取得部１０８は、抽出した下り報知情報を下り変調部１０９及びパラメータ設定部１１１に出力する。この下り報知情報には、後述する複数のパラメータが含まれている。
【００３２】
下り変調部１０９は、下り報知情報をＵＥに送信するために、報知情報取得部１０８から入力した下り報知情報に対して、ＱＰＳＫ変調及びＯＦＤＭ変調等の所定の変調処理を行い、下り送信ベースバンド信号を生成する。下り変調部１０９は、生成した下り送信ベースバンド信号を下り無線送信部１１０に出力する。
【００３３】
下り無線送信部１１０は、下り変調部１０９から入力した下り送信ベースバンド信号を高周波信号に変換し、サーキュレータ１０２に出力する。
【００３４】
パラメータ設定部１１１は、報知情報取得部１０８から入力した下り報知情報に含まれるパラメータを、自局のパラメータとして設定する。パラメータ設定部１１１は、設定したパラメータを受信品質バッファ生成部１１２に通知する。
【００３５】
受信品質バッファ生成部１１２は、パラメータ設定部１１１から通知されたパラメータに従って受信品質バッファを生成する。受信品質バッファ生成部１１２は、受信品質測定部１０５から入力した測定結果を、生成した受信品質バッファに保持する。この際、受信品質バッファ生成部１１２は、パラメータ設定部１１１から通知されるパラメータにより特定されるタイミングで、受信品質測定部１０５から入力した測定結果を受信品質バッファに順次保持する。なお、受信品質バッファについては後述する。
【００３６】
被干渉ＵＥ検出部１１３は、受信品質バッファ生成部１１２における受信品質バッファに保持されている干渉電力の測定結果に基づいて、被干渉ＵＥを検出する。被干渉ＵＥ検出部１１３は、被干渉ＵＥの検出結果を干渉制御部１１４に出力する。なお、被干渉ＵＥの検出方法については後述する。
【００３７】
干渉制御部１１４は、被干渉ＵＥ検出部１１３から入力した検出結果に基づいて、検出された被干渉ＵＥに与える干渉を制限する制御を行う。
【００３８】
＜ＳＲＳの概要＞
被干渉ＵＥを検出する際に用いられるＳＲＳの概要について、図８を用いて説明する。図８は、ＬＴＥの上り回線のフレームフォーマットを示す図である。
【００３９】
ＳＲＳは、上り回線の品質を測定するために、ＵＥ（ＭＵＥ）からＭｅＮＢに送信される信号である。ＳＲＳの送信タイミング、送信周期、周波数リソース（Physical Resource Block、以下「ＰＲＢ」と表記する）数及び周波数ホッピングパターン等は、ＭｅＮＢから指示される。
【００４０】
図８より、ＬＴＥの上り回線のフレームの最小構成単位は、１ＳＣ−ＦＤＭＡシンボルである。１スロットは、７シンボルから構成される。１サブフレームは、２スロットから構成される。サブフレームは、各種物理チャネルの送信単位となる。周波数の構成単位は１ＰＲＢである。
【００４１】
図８より、ＳＲＳ送信用のリソースは、必ずしもサブフレーム毎に確保されるわけではなく、ＭｅＮＢの収容端末装置数または通信事業者の運用ポリシー等に応じて設定される。ＳＲＳの送信用リソースは、例えば、ブランクリソース＃１０−１、＃１０−２という形で確保される。ブランクリソース＃１０−１、＃１０−２が確保されるサブフレーム（Cell Specific SRS Subframe、以下「ＳＲＳサブフレーム」と表記する）は、SRS Subframe Configurationと呼ばれるパラメータ（第１のパラメータ）を用いて、ＭｅＮＢエリア内の全てのＵＥに通知される。
【００４２】
図９は、SRS Subframe Configurationの一例を示す図である。
【００４３】
図９より、以下の（１）式を満足するサブフレームが、ブランクリソース＃１０−１、＃１０−２が確保されるサブフレームとなる。
【数１】
2013051285.tif 000003
【００４４】
また、ブランクリソース＃１０−１、＃１０−２のＰＲＢ数は、SRS Bandwidth Configurationと呼ばれるパラメータ（第２のパラメータ）及びUplink帯域幅情報（第３のパラメータ）により決定される。即ち、SRS Bandwidth Configuration及びUplink帯域幅情報により、ＳＲＳの送信帯域が決定される。これらのパラメータは、ＭｅＮＢエリア内の全てのＵＥに通知される。図１０は、SRS Bandwidth Configurationの一例を示す図である。
【００４５】
各ＵＥは、上記で説明した処理により確保したブランクリソース＃１０−１、＃１０−２の一部、または全部を使って、ＳＲＳを送信する。例えば、図８の場合、ＳＲＳ＃Ｓ１〜Ｓ４は、ブランクリソース＃１０−１の一部を使って送信される。
【００４６】
なお、ＳＲＳの送信タイミング及びＰＲＢ数は、必ずしもブランクリソースと一致しておらず、ＵＥ毎に個別に指定される。また、各ＵＥから送信されるＳＲＳによる、他のＵＥが送信するＳＲＳへの干渉を避けるため、ＳＲＳサブフレームにおいて、各ＵＥはＳＲＳの送信の有無に関わらず、「PUSCH」及び「PUCCH format 1」の最終シンボルを削る（図８参照）。
【００４７】
＜小型基地局の動作＞
まず、小型基地局１００は、周辺基地局が送信する報知情報を受信し、報知情報取得部１０８において、受信された報知情報の中からＳＲＳに関連する下り報知情報を抽出する。パラメータ設定部１１１は、下り報知情報に含まれるパラメータを、自局のパラメータとして設定する。
【００４８】
具体的には、パラメータ設定部１１１は、SRS Subframe Configuration、SRS Bandwidth Configuration、Uplink帯域幅情報の３つのパラメータを、自局のパラメータとして設定する。ここでは、例として、SRS Subframe Configuration＝3、SRS Bandwidth Configuration＝4、Uplink帯域幅＝50PRBとする。
【００４９】
次に、小型基地局１００は、自局のパラメータとして設定したパラメータをＵＥに送信する。
【００５０】
次に、受信品質バッファ生成部１１２は、自局のパラメータとして設定されたパラメータに従って、ブランクリソース＃１０−１、＃１０−２において測定された干渉電力を保持するための受信品質バッファを内部に生成する。
【００５１】
図１１は、受信品質バッファ２００を示す図である。
【００５２】
受信品質バッファ２００は、ブランクリソース＃１０−１、＃１０−２において測定された干渉電力を４ＰＲＢ毎に保持する。本実施の形態においては、SRS Bandwidth Configuration＝4、Uplink帯域幅＝50PRBであることから、図１０のテーブルよりブランクリソース＃１０−１、＃１０−２の帯域幅は３２ＰＲＢとなる。従って、受信品質バッファ２００の周波数方向の要素数は３２÷４＝８となる。さらに、受信品質バッファ２００は、ブランクリソース＃１０−１、＃１０−２の干渉電力を時間平均するため、時間方向において１ＳＲＳシンボル毎に複数シンボル分の要素を設ける。本実施の形態では、一例として、受信バッファ２００の時間方向の要素数を１０とする。
【００５３】
次に、受信品質測定部１０５は、ＳＲＳサブフレームにおいて、ブランクリソース＃１０−１、＃１０−２の雑音及び干渉レベル（以下「Ｎ」と表記する）を４ＰＲＢ毎に測定し、測定結果を受信品質バッファ生成部１１２の受信品質バッファ２００に保持する。具体的には、小型基地局１００は、自局のＵＥ（ＨＵＥ）がＳＲＳを送信したリソースに関しては、受信品質測定部１０５において、その電力を測定し、当該リソースの受信電力からＳＲＳの電力を差し引くことでＮを求める。また、小型基地局１００は、自局のＵＥ（ＨＵＥ）がＳＲＳを送信していないリソースに関しては、受信品質測定部１０５において測定した受信電力をそのままＮとみなす。本実施の形態では、SRS Subframe Configuration＝3であることから、図９及び（１）式より、５サブフレーム毎に測定を行う。受信品質バッファ生成部１１２は、測定結果を受信品質バッファ２００に保持する際は、既に受信品質バッファ２００に保持されている測定結果を時間方向にシフトし、新たに測定した結果を保持する。この際、受信品質バッファ生成部１１２は、受信品質バッファ２００の容量が一杯になった場合には、受信品質バッファ２００における最も古い測定結果を破棄する。
【００５４】
次に、被干渉ＵＥ検出部１１３は、受信品質バッファ２００に保持されている測定結果を用いて被干渉ＵＥを検出する。
【００５５】
そして、干渉制御部１１４は、被干渉ＵＥが検出された際に、検出された被干渉ＵＥに対する干渉を制限する制御を行う。例えば、干渉制御部１１４は、被干渉ＵＥが検出された際にＡＢＳを実行するように制御する。これにより、被干渉ＵＥにおける、受信性能の劣化を確実に防ぐことができる。
【００５６】
＜被干渉ＵＥの検出方法＞
被干渉ＵＥ検出部１１３は、受信品質バッファ２００に保持されている測定結果に対し、以下の第１の処理〜第３の処理の３つの処理を行い、各処理における少なくとも１つの条件を満たした場合に、被干渉ＵＥ有と判定する。図１２は、被干渉ＵＥを検出するための第１の処理を示す図である。図１３は、被干渉ＵＥを検出するための第２の処理を示す図である。図１４は、被干渉ＵＥを検出するための第３の処理を示す図である。以下に、各処理について説明する。
【００５７】
｛第１の処理｝
図１２に示すように、被干渉ＵＥ検出部１１３は、受信品質バッファ２００に保持されている最新のＳＲＳサブフレームのブランクリソース（ＳＲＳシンボル時間）における全帯域（３２ＰＲＢ）のＮの平均値（Nave1）を求める。被干渉ＵＥ検出部１１３は、求めたNave1と第１閾値を比較し、第１閾値を超えていた場合、「被干渉ＵＥ有」と判断する。
【００５８】
｛第２の処理｝
図１３に示すように、まず、被干渉ＵＥ検出部１１３は、受信バッファ２００に保持されている最新のＳＲＳサブフレームのブランクリソースにおいて、最もＮが大きい帯域（４ＰＲＢ）の要素を抽出する（Nmax）。次に、被干渉ＵＥ検出部１１３は、受信バッファ２００に保持されている最新のＳＲＳサブフレームのブランクリソースにおける全帯域（３２ＰＲＢ）のＮの平均値（Nave1）を求める。被干渉ＵＥ検出部１１３は、抽出したNmaxと、求めたNave1との比を求め、求めた比と第２閾値とを比較し、求めた比が第２閾値を超えていた場合、「被干渉ＵＥ有」と判断する。
【００５９】
｛第３の処理｝
図１４に示すように、まず、被干渉ＵＥ検出部１１３は、受信品質バッファ２００に保持されている全てのＮの平均値を求める（Nave2）。次に、被干渉ＵＥ検出部１１３は、受信バッファ２００に保持されている最新のＳＲＳサブフレームのブランクリソースにおける全帯域（３２ＰＲＢ）のＮの平均値（Nave1）を求める。被干渉ＵＥ検出部１１３は、Nave1とNave2との比を求め、求めた比と第３閾値とを比較し、求めた比が第３閾値を超えていた場合、「被干渉ＵＥ有」と判断する。
【００６０】
＜本実施の形態の効果＞
本実施の形態によれば、小型基地局であるＨｅＮＢが、SRS Subframe Configurationによって特定されるタイミングで干渉電力を測定し、測定した干渉電力に基づいて被干渉ＵＥを検出する。これにより、ＨｅＮＢは、回路規模の増大を招くことなく、被干渉ＵＥの存在を確実に検出することができ、被干渉ＵＥの受信性能を確実に改善することができるとともに、被干渉ＵＥの検出処理頻度を従来に比べて低減することができるので、消費電力を抑制することができる。
【００６１】
また、本実施の形態によれば、上り回線の品質測定用に従来から使用しているＳＲＳを用いて、ＨｅＮＢが被干渉ＵＥの有無を検出することより、新たな信号の送受信及び処理を行う必要がないので、簡易な構成にすることができるとともに製造コストの増大を抑制することができる。
【００６２】
また、本実施の形態によれば、ＨｅＮＢがSRS Bandwidth Configuration及びUplink帯域幅情報により特定される送信帯域幅毎に干渉電力を測定するので、干渉電力の測定結果を用いた被干渉ＵＥの検出精度を向上させることができる。
【００６３】
また、本実施の形態によれば、ＨｅＮＢが自局のパラメータとして設定したパラメータに基づいて受信品質バッファを生成するので、受信品質バッファに保持されている干渉電力の測定結果を用いた被干渉ＵＥの検出精度を向上させることができる。
【００６４】
また、本実施の形態によれば、第１の処理〜第３の処理の３種類の処理による判定結果を用いて被干渉ＵＥを検出するので、被干渉ＵＥを確実に検出することができる。
【００６５】
＜本実施の形態の変形例＞
本実施の形態において、SRS Bandwidth Configuration及びUplink帯域幅情報を小型基地局のパラメータとして設定したが、本発明はこれに限らず、SRS Bandwidth Configuration及びUplink帯域幅情報を設定しなくてもよい。この場合には、SRS Subframe Configurationにより特定されるタイミングで干渉電力を測定し、測定した干渉電力に基づいて被干渉ＵＥを検出する。即ち、上記の第２の処理を行わず、第１の処理及び第３の処理により被干渉ＵＥを検出する。
【００６６】
また、本実施の形態において、小型基地局としてＰｉｃｏ ｅＮＢまたはＨｅＮＢに本発明を適用したが、本発明はこれに限らず、Ｐｉｃｏ ｅＮＢ及びＨｅＮＢ以外の任意の基地局に本発明を適用することができる。
【００６７】
また、本実施の形態において、ＨｅＮＢが周辺基地局の報知情報を受信したが、本発明はこれに限らず、例えばＯＡＭ（Operation And Maintenance）またはＨｅＭＳ（Home eNB Maintenance System）が周辺基地局のＳＲＳ関連パラメータを、ＨｅＮＢに直接通知してもよい。
【００６８】
また、本実施の形態において、小型基地局はＳＲＳに関するパラメータを用いて被干渉ＵＥを検出したが、本発明はこれに限らず、Ｐｅｒｉｏｄｉｃ ＣＱＩ（PUCCH format 2）に関するパラメータを用いて被干渉ＵＥを検出してもよい。即ち、本発明では、ＵＥが継続的に間欠送信する何らかの信号を用いて、小型基地局が被干渉ＵＥを検出することができる。
【００６９】
２０１１年１０月７日出願の特願２０１１−２２２７５５の日本出願に含まれる明細書、図面および要約書の開示内容は、すべて本願に援用される。
【産業上の利用可能性】
【００７０】
本発明は、端末装置が送信する上り回線品質測定用の参照信号の送信先である周辺基地局のセル内に設置可能な小型基地局及び被干渉端末装置検出方法に好適である。
【符号の説明】
【００７１】
１００  小型基地局
１０１  アンテナ
１０２  サーキュレータ
１０３  上り無線受信部
１０４  上り復調部
１０５  受信品質測定部
１０６  下り無線受信部
１０７  下り復調部
１０８  報知情報取得部
１０９  下り変調部
１１０  下り無線送信部
１１１  パラメータ設定部
１１２  受信品質バッファ生成部
１１３  被干渉ＵＥ検出部
１１４  干渉制御部
【図１】
2013051285.tif 000004
【図２】
2013051285.tif 000005
【図３】
2013051285.tif 000006
【図４】
2013051285.tif 000007
【図５】
2013051285.tif 000008
【図６】
2013051285.tif 000009
【図７】
2013051285.tif 000010
【図８】
2013051285.tif 000011
【図９】
2013051285.tif 000012
【図１０】
2013051285.tif 000013
【図１１】
2013051285.tif 000014
【図１２】
2013051285.tif 000015
【図１３】
2013051285.tif 000016
【図１４】
2013051285.tif 000017
【国際調査報告】
2013051285.tif 000018
2013051285.tif 000019